(57)【特許請求の範囲】
【請求項１】
電池パック用ヒューズロックアウトアセンブリであって、
手動式電流遮断下部ハウジング及び手動式電流遮断上部ハウジングを収容するように構成された内部領域を含む第１ハウジングと、
第１ヒューズを収容するように構成された第１ヒューズ区画部を含み、前記第１ハウジングに結合されているヒューズ収容ハウジングと、
第１ハウジングに滑ることができるように結合されており、第１作動位置から第２作動位置に滑るように構成されたスライドドアと、
を含んでおり、
前記スライドドアは、第１ヒューズが第１ヒューズ区画部から離脱することを防止するために、第１作動位置で第１ヒューズ区画部の開放端部を覆うように構成されており、
前記スライドドアはまた、前記手動式電流遮断上部ハウジングが手動式電流遮断下部ハウジングから予め分離される場合にのみ、第２作動位置で手動式電流遮断下部ハウジングの一部に至るようにさらに構成されており、このとき、前記スライドドアは、第２作動位置で第１ヒューズ区画部の開放端部を覆わないようにさらに構成されていることを特徴とする、ヒューズロックアウトアセンブリ。
【請求項２】
前記スライドドアは、第１作動位置で内部領域の手動式電流遮断下部ハウジングから分離される手動式電流遮断上部ハウジングを妨げないことを特徴とする、請求項１に記載のヒューズロックアウトアセンブリ。
【請求項３】
前記スライドドアが第１作動位置から少なくとも部分的に内部領域に滑ることができるとき、スライドドアが第２作動位置に延びることができないように、手動式電流遮断上部ハウジングが内部領域で手動式電流遮断下部ハウジングに結合されていれば、スライドドアは、手動式電流遮断上部ハウジングに対して隣接するように構成されていることを特徴とする、請求項１に記載のヒューズロックアウトアセンブリ。
【請求項４】
前記第１ヒューズを使用できないようにスライドドアが第１及び第２作動位置の間に位置するとき、前記スライドドアは、第１ヒューズ区画部の開放端部を少なくとも部分的に覆うことを特徴とする、請求項３に記載のヒューズロックアウトアセンブリ。
【請求項５】
前記第１ハウジングは、容器部及びプレート部を含んでおり、前記プレート部は、容器部の開放端部に近接した容器部の外周縁から外側に延びており、前記容器部は、手動式電流遮断下部ハウジング及び手動式電流遮断上部ハウジングを収容するように構成された内部領域を設定し、前記プレート部は、第１側面及び第２側面を含み、これらを通して延びた第１開口を含んでいることを特徴とする、請求項１に記載のヒューズロックアウトアセンブリ。
【請求項６】
前記ヒューズロックアウトアセンブリは、容器部の下部板と結合される取付ブラケットをさらに含むことを特徴とする、請求項５に記載のヒューズロックアウトアセンブリ。
【請求項７】
前記スライドドアの幅は、容器部の内部領域の幅よりも小さいことを特徴とする、請求項５に記載のヒューズロックアウトアセンブリ。
【請求項８】
前記ヒューズ収容ハウジングは、第１ハウジングのプレート部の第２側面に結合されており、前記ヒューズ収容ハウジングは、第１ハウジングのプレート部の第１開口と連結される第１ヒューズ区画部を含むことを特徴とする、請求項５に記載のヒューズロックアウトアセンブリ。
【請求項９】
前記ヒューズロックアウトアセンブリは、第１ハウジングのプレート部の第１側面に結合されたガイドプレートをさらに含んでおり、前記ガイドプレートは、第１及び第２ガイド部を含み、前記第１ヒューズ区画部は、第１及び第２ガイド部の間に位置しており、前記第１ガイド部（３３０）及びプレート部（２０４）は、それらの間に第１ギャップを含み、前記第２ガイド部（３３２）及びプレート部（２０４）は、それらの間に第２ギャップを含むことを特徴とする、請求項８に記載のヒューズロックアウトアセンブリ。
【請求項１０】
前記スライドドアは、第１及び第２ギャップ内に少なくとも部分的に位置していることを特徴とする、請求項９に記載のヒューズロックアウトアセンブリ。
【請求項１１】
前記ヒューズ収容ハウジングは、第２ヒューズを内部に収容し、第１及び第２ガイド部の間に位置するように構成された第２ヒューズ区画部をさらに含んでおり、前記プレート部は、それを通して延びた第２開口をさらに含んでおり、前記第２ヒューズ区画部は第２開口と連通しており、
前記スライドドアは、第２ヒューズが第２ヒューズ区画部から離脱することを防止するために、第１作動位置で第２ヒューズ区画部の開放端部を覆うようにさらに構成されていることを特徴とする、請求項９に記載のヒューズロックアウトアセンブリ。
【請求項１２】
前記第１ガイド部は、それから第１ギャップ内に下向きに延びた第１ストッピング部材を含んでおり、前記スライドドアが第２作動位置にあるときに第１ストッピング部材に接触するように構成されている第２エッジ部を含んでいることを特徴とする、請求項９に記載のヒューズロックアウトアセンブリ。
【請求項１３】
前記第１ストッピング部材は、スライドドアがヒューズロックアウトアセンブリから滑って離脱することを防止することを特徴とする、請求項１２に記載のヒューズロックアウトアセンブリ。
【請求項１４】
前記第２ガイド部は、それから第２ギャップ内に下向きに延びた第２ストッピング部材を含んでおり、前記スライドドアが第２作動位置にあるときに第２ストッピング部に接触するように構成されている第２エッジ部を含んでいることを特徴とする、請求項１２に記載のヒューズロックアウトアセンブリ。
【請求項１５】
前記手動式電流遮断上部ハウジングは、手動式電流遮断下部ハウジングに脱離可能に結合されていることを特徴とする、請求項１に記載のヒューズロックアウトアセンブリ。
【発明の詳細な説明】
【技術分野】
【０００１】
本発明は、電池パック用ヒューズロックアウトアセンブリ（ｆｕｓｅ  ｌｏｃｋ−ｏｕｔ  ａｓｓｅｍｂｌｙ）に係り、詳細には、手動式電流遮断（ｍａｎｕａｌ  ｓｅｒｖｉｃｅ  ｄｉｓｃｏｎｎｅｃｔ）下部ハウジング及び手動式電流遮断上部ハウジングを収容するように構成された内部領域（ｉｎｔｅｒｉｏｒ  ｒｅｇｉｏｎ）を含む第１ハウジングと；第１ヒューズを収容するように構成された第１ヒューズ区画部（ｆｕｓｅ  ｃｏｍｐａｒｔｍｅｎｔ）を含み、前記第１ハウジングに結合されているヒューズ収容ハウジング（ｆｕｓｅ  ｈｏｌｄｉｎｇ  ｈｏｕｓｉｎｇ）と；第１ハウジングに滑ることができるように（ｓｌｉｄａｂｌｙ）結合されており、第１作動位置（ｏｐｅｒａｔｉｏｎａｌ  ｐｏｓｉｔｉｏｎ）から第２作動位置に滑るように構成されたスライドドア（ｓｌｉｄａｂｌｅ  ｄｏｏｒ）と；を含んでおり、前記スライドドアは、第１ヒューズが第１ヒューズ区画部から離脱することを防止するために、第１作動位置で第１ヒューズ区画部の開放端部を覆うように構成されており、前記スライドドアはまた、前記手動式電流遮断上部ハウジングが手動式電流遮断下部ハウジングから予め分離される場合にのみ、第２作動位置で手動式電流遮断下部ハウジングの一部に至るようにさらに構成されており、このとき、前記スライドドアは、第２作動位置で第１ヒューズ区画部の開放端部を覆わないようにさらに構成されていることを特徴とするヒューズロックアウトアセンブリに関する。
【背景技術】
【０００２】
本出願の発明者らは、手動式電流遮断器を電池パックの内部でバッテリーモジュールと共に電気的に接続するとき、電池パックが電池パックヒューズに接続することを防止する必要性を認識した。
【発明の概要】
【発明が解決しようとする課題】
【０００３】
したがって、本出願の発明者らは、鋭意研究と様々な実験を重ねた結果、後述するような特定の構造のヒューズロックアウトアセンブリを開発するに至り、このようなヒューズロックアウトアセンブリは、電池パックが電池パックヒューズに接続することを効果的に防止できることを確認した。
【課題を解決するための手段】
【０００４】
本発明の一実施例に係る電池パック用ヒューズロックアウトアセンブリが提供される。ヒューズロックアウトアセンブリは、手動式電流遮断下部ハウジング及び手動式電流遮断上部ハウジングを収容するように構成された内部領域（ｉｎｔｅｒｉｏｒ  ｒｅｇｉｏｎ）を含む第１ハウジングを含む。ヒューズロックアウトアセンブリは、第１ハウジングに結合されているヒューズ収容ハウジングをさらに含む。ヒューズ収容ハウジングは、第１ヒューズがその内部に収容されるように構成された第１区画部を含む。ヒューズロックアウトアセンブリは、第１ハウジングに摺動可能に（ｓｌｉｄａｂｌｙ）結合されているスライドドアをさらに含む。スライドドアは、第１ヒューズが第１ヒューズ区画部から離脱することを防止するために、第１作動位置で第１ヒューズ区画部の開放端部を覆うように構成されている。スライドドアはまた、前記手動式電流遮断上部ハウジングが手動式電流遮断下部ハウジングから予め分離される場合にのみ第２作動位置で手動式電流遮断下部ハウジングの一部に至るようにさらに構成されている。スライドドアはまた、第２作動位置で第１ヒューズ区画部の開放端部を覆わないように構成されている。
【図面の簡単な説明】
【０００５】
【図１】本発明の一実施例に係るヒューズロックアウトアセンブリ及び電池パックを含む電気車両の模式図である。
【図２】本発明の一実施例に係るヒューズロックアウトアセンブリを含む電池パックの模式図である。
【図３】図２の電池パックの垂直断面図である。
【図４】それから離脱する手動式電流遮断上部ハウジング及び第１作動位置でヒューズ区画部を覆うスライドドアを含む図２のヒューズロックアウトアセンブリの模式図である。
【図５】ヒューズ区画部に接近可能な第２作動位置のスライドドアを含む図２のヒューズロックアウトアセンブリの更なる他の模式図である。
【図６】図２のヒューズロックアウトアセンブリの更なる他の模式図である。
【図７】第１作動位置でヒューズ区画部を覆っているスライドドアを含む図２のヒューズロックアウトアセンブリの一部を拡大した模式図である。
【図８】第１作動位置でヒューズ区画部を覆っているスライドドアを含む図２のヒューズロックアウトアセンブリの一部を拡大した更なる他の模式図である。
【図９】ヒューズ区画部に接近可能な第２作動位置のスライドドアを含む図２のヒューズロックアウトアセンブリの上部を示した模式図である。
【図１０】スライドドアが表示されていない図２のヒューズロックアウトアセンブリの模式図である。
【図１１】図２のヒューズロックアウトアセンブリにおいて使用されるハウジングの模式図である。
【図１２】図２のヒューズロックアウトアセンブリにおいて使用されるヒューズ収容ハウジングの模式図である。
【図１３】図２のヒューズロックアウトアセンブリにおいて使用されるガイドプレートの模式図である。
【図１４】図１３のガイドプレートの更なる他の模式図である。
【図１５】図２のヒューズロックアウトアセンブリにおいて使用されるスライドドアの模式図である。
【図１６】図１５のスライドドアの更なる他の模式図である。
【図１７】図２のヒューズロックアウトアセンブリの一部分の垂直断面図である。
【図１８】第２作動位置でスライドドアの動きを止めるように構成された第１ストッピング部材を含む図２のヒューズロックアウトアセンブリの一部を拡大した模式図である。
【図１９】第２作動位置でスライドドアの動きを止めるように構成された第２ストッピング部材を含む図２のヒューズロックアウトアセンブリの一部を拡大した模式図である。
【発明を実施するための形態】
【０００６】
図１及び図２を参照すると、電気車両４が示されている。電気車両４は、電池パック１０、車両電気システム１１、補助ロード１１，１２及びコンピュータ１４を含む。
【０００７】
図１乃至図５を参照すると、本発明の一実施例に係る電池パック１０は、電力を車両電気システム１１及び補助ロード１１，１２に提供する。電池パック１０は、下部ハウジング部２０、上部ハウジング部３０、電池モジュール４０，４２、手動式電流遮断器４８、接触器５２，５３及び本発明の一実施例に係るヒューズロックアウトアセンブリ５０を含む。電池パック１０の利点は、手動式電流遮断器４８の上部ハウジング６２がヒューズロックアウトアセンブリ５０から離脱しなければ、ヒューズ区画部に対する接近を防止するスライドドアを有するヒューズロックアウトアセンブリ５０を電池パック１０が使用するという点である。容易な理解のために、ヒューズが作業者（ｏｐｅｒａｔｏｒ）によってヒューズ区画部から離脱し得る場合、またはヒューズが作業者によってヒューズ区画部に配置され得る場合、ヒューズは“接近可能な状態”である。
【０００８】
図１を参照すると、接触器５２は、ロード５４と電池モジュール４０との間で電気的に接続されている。さらに、電池モジュール４０は、接触器５２と手動式電流遮断器４８のヒューズ６３との間で直列に電気的に接続されている。また、電池モジュール４２は、電流遮断器４８と接触器５３との間で電気的に接続されている。接触器５３は、電池モジュール４２とロード５５との間で直列に電気的に接続されている。車両電気システム１１は、ロード５４，５５の間で電気的に接続されている。接触器５２，５３がコンピュータ１４からの制御信号に応答して閉鎖作動位置を含み、ヒューズ６３が、ノンブローン（ｎｏｎ−ｂｌｏｗｎ）状態であり、電池モジュール４０，４２と直列である場合に、電池モジュール４０，４２からの作動電圧が車両電気システム１１に適用される。また、接触器５２，５３がコンピュータ１４からの制御信号に応答して閉鎖作動位置を含み、ヒューズ１０４，１０６のそれぞれが切れていない状態である場合に、電池モジュール４０，４２からの作動電圧が補助ロード１２，１３に適用される。
【０００９】
ここで、ヒューズ６３を含む手動式電流遮断器の上部ハウジング６２が作業者（ｏｐｅｒａｔｏｒ）によって電池パックから除去される場合、電池モジュールによって負荷（ｌｏａｄ）に供給される作動電圧は半分に減少することに注目しなければならない。
【００１０】
図１及び図２を参照すると、上部ハウジング部３０は下部ハウジング部２０と結合されるように構成されている。下部ハウジング部２０は、それの上に電池モジュール４０，４２及びヒューズロックアウトアセンブリ５０を収容するように構成されている。上部ハウジング部３０及び下部ハウジング部２０は、それの内部に電池モジュール４０，４２を収容するように構成された内部領域を設定する。上部ハウジング部３０は、それを通して延びる開口を含んでおり、ヒューズロックアウトアセンブリ５０の一部は、前記開口を通して延びている。一つの例示的な実施例において、上部ハウジング部３０及び下部ハウジング部２０は鋼鉄からなってもよい。更なる他の例において、上部ハウジング部３０及び下部ハウジング部２０は、例えば、アルミニウムまたはプラスチックのような他の材料からなってもよいことは勿論である。
【００１１】
図１を参照すると、電池モジュール４０，４２は、手動式電流遮断器４８のヒューズ６３及び接触器５２，５３と直列に電気的に接続されるように構成されている。一つの例示的な実施例において、電池モジュール４０，４２はリチウムイオン（ｌｉｔｈｉｕｍ−ｉｏｎ）電池モジュールであってもよい。更なる他の例において、前記電池モジュール４０，４２は、例えば、ニッケル水素（ｎｉｃｋｅｌ−ｍｅｔａｌ  ｈｙｄｒｉｄｅ）電池モジュールのような他の電池モジュールであってもよいことは勿論である。
【００１２】
図１乃至図３を参照すると、以下でより詳細に説明されたように、手動式電流遮断器４８は、電池モジュール４０，４２を互いに選択的に電気的に接続し、電池モジュール４０，４２を互いに電気的に分離するように構成されている。手動式電流遮断器４８は、手動式電流遮断下部ハウジング６０、手動式電流遮断上部ハウジング６２及び上部ハウジング６２内に位置したヒューズ６３を含む。上部ハウジング６２は、下部ハウジング６０に脱離可能に（ｒｅｍｏｖａｂｌｙ）結合されるように構成されている。下部ハウジング６０の一部（図６参照）は、ハウジング１００の中央開口２５２（図１１参照）を通して配置されている。下部ハウジング６０は、ボルト１５０，１５２，１５４，１５６及びそれの上に配置された対応ナット（ｃｏｒｒｅｓｐｏｎｄｉｎｇ  ｎｕｔ）を用いてハウジング１００の下部プレート２５０に結合されている。ボルト１５０，１５２，１５４，１５６は、下部プレート２５０の上面に配置されたワッシャー（ｗａｓｈｅｒｓ）（図示せず）、下部プレート２５０及び下部ハウジングの一部を通して延びている。対応ナットは、下部ハウジング６０の下部表面に近接したボルト１５０〜１５６に結合される。上部ハウジング６２が下部ハウジング６０と結合するとき、電池モジュール４０，４２は共に電気的に接続される。反面、上部ハウジング６２が下部ハウジングから分離されるとき、電池モジュール４０，４２は、それの他の一つから電気的に分離される。
【００１３】
図１、図４乃至図６及び図１７を参照すると、手動式電流遮断上部ハウジング６０が手動式電流遮断下部ハウジング６２から分離されなければ、ヒューズロックアウトアセンブリ５０はヒューズ収容ハウジング１０２（図１７参照）内にヒューズ区画部に接することを防止する、スライドドア１２０を使用する。ヒューズロックアウトアセンブリ５０は、ハウジング１００、ヒューズ収容ハウジング１０２、ガイドプレート１１０、スライドドア１２０、ブラケット１３０、ガスケット１４２、ボルト１５０，１５２，１５４，１５６及びボルト１６０，１６２，１６４，１６６を含む。
【００１４】
図４、図５及び図１１を参照すると、ハウジング１００は、その内部に手動式電流遮断器４８を収容するように構成されている。ハウジング１００は、ヒューズ収容ハウジング１０２、ガイドプレート１１０及びスライドドア１２０をそれの上に収容するようにさらに構成されている。ハウジング１００は、容器部２００、プレート部２０４及びフランジ部（ｆｌａｎｇｅ  ｐｒｏｔｉｏｎ）２０６，２０８，２１０を含む。
【００１５】
容器部２００は、手動式電流遮断下部ハウジング６０及び手動式電流遮断上部ハウジング６２を収容するように構成された内部領域２１４（図５参照）を設定する。
【００１６】
容器部は、側壁２３０，２３２，２３４，２３６、及び側壁２３０，２３２，２３４，２３６に結合された下部プレート２５０を含む。下部プレート２５０は、それを通して延びている中央開口２５２を含み、前記中央開口は、それを通して手動式電流遮断下部ハウジング６０の一部を収容するように構成されている。図６及び図１１を参照すると、下部プレートは、それを通して延びた開口２６０，２６２，２６４，２６６をさらに含み、前記開口はそれぞれ、それを通してボルトを受け入れるように構成されている。
【００１７】
プレート部２０４は、容器部２００の開放端部（ｏｐｅｎ  ｅｎｄ）に近接した容器部の外周縁（ｐｅｒｉｐｈｅｒａｌ  ｅｄｇｅ）から外側に延びている。プレート部２０４は、第１側面２７０及び第２側面２７２を含み、これらを通して延びた開口２８０，２８２を含んでいる。開口２８０，２８２は、ヒューズ収容ハウジング１０２のヒューズ区画部３００，３０２と連結されている。
【００１８】
図２及び図１１を参照すると、フランジ部２０６は、プレート部２０４の端部２７４から外側に延びており、容器部２００の側壁２３０から延びている。フランジ部２０８は、容器部２００の側壁２３２から外側に延びている。フランジ部２１０は、プレート部２０４の端部２７６から外側に延びており、容器部２００の側壁２３４から延びている。フランジ部２０６，２０８，２１０は、上部ハウジング部３０の上面と結合されている。
【００１９】
図１、図４乃至図６及び図１２を参照すると、ヒューズ収容ハウジング１０２は、ヒューズ１０４，１０６をその内部に収容するように構成されている。ヒューズ収容ハウジング１０２は、ヒューズ区画部３００，３０２（図５参照）、及び区画部３００，３０２の開放端部の外周を囲んで延びた外周フランジ３０４を含む。ヒューズ区画部３００，３０２は、ヒューズ１０４，１０６をそれぞれその内部に収容するように構成されており、ガイドプレート１１０のガイド部３３０，３３２の間に配置されている。ヒューズ区画部３００は、ヒューズ１０４の端部に結合された第１及び第２電気アダプタを含むことができる。それだけでなく、ヒューズ区画部３０２は、ヒューズ１０６の端部に結合された第１及び第２電気アダプタを含むことができる。ヒューズ区画部３００では、電気ケーブルが第１及び第２アダプタからヒューズ区画部３００内の開口を通して延びていてもよい。また、区画部３０２では、電気ケーブルが第１及び第２アダプタからヒューズ区画部３０２内の開口を通して延びていてもよい。図６を参照すると、外周フランジ３０４は、ハウジング１００の第２側壁２７２に結合されている。図１１及び図１２を参照すると、ヒューズ区画部３００は、ハウジング１００のプレート部２０４内の開口２８０と連結されている。それだけでなく、ヒューズ区画部３０２は、ハウジング１００のプレート部２０４内の開口２８２と連結されている。一つの例示的な実施例において、ヒューズ収容ハウジング１０２はプラスチックからなっていてもよい。更なる他の例において、ヒューズ収容ハウジング１０２は、他の素材からなっていてもよいことは勿論である。
【００２０】
図５、図１３、図１４、図１８及び図１９を参照すると、ガイドプレート１１０は、ハウジング１００に対して相対的にスライドドア１２０の運動を誘導するように構成されている。ガイドプレート１１０は、ガイド部３３０，３３２及びフランジ部３４０，３４２，３４４を含む。ガイド部３３０，３３２は、互いに実質的に平行に延びている。フランジ部３４２は、ガイド部３３０，３３２の端部の間で延びている。フランジ部３４０は、ガイド部３３０と結合されており、ガイド部３３０と略平行に延びている。フランジ部３４４は、ガイド部３３２と結合されており、ガイド部３３２と全般的に平行に延びている。フランジ部３４０，３４２，３４４は、ハウジング１００のプレート部２０４に結合されている。一つの例示的な実施例において、ガイドプレート１１０は鋼鉄からなっていてもよい。更なる他の例において、ガイドプレート１１０は、例えば、プラスチックまたはアルミニウムのような他の素材からなってもよいことは勿論である。
【００２１】
図１３、図１４及び図１７を参照すると、ハウジング１００のガイド部３３０及びプレート部２０４は、それらの間にギャップＧ１（ｇａｐ）を設定する。ギャップＧ１は、その内部にスライドドア１２０の一部を収容するように構成されている。ガイド部３３０は、ギャップＧ１に延びているストッピング部材３５０を含む。スライドドア１２０が第２作動位置（図５参照）にあり、ヒューズ１０４，１０６が作業者に接近可能な状態のとき、ストッピング部材３５０は、スライドドア１２０のエッジ部４１０のストッピング面４１６（図１８及び図２５参照）に隣接する。ストッピング部材３５０は、スライドドア１２０がヒューズロックアウトアセンブリ５０から滑って離脱することを防止する。反面、スライドドア１２０が第１作動位置（図４参照）にあり、ヒューズ１０４，１０６が作業者に接近不可能な状態のときは、ストッピング部材３５０は、スライドドア１２０のエッジ部４１２のストッピング面４１７（図１５参照）に隣接する。
【００２２】
ハウジング１００のガイド部３３２及びプレート部２０４は、それらの間にギャップを形成する。ガイド部３３２とプレート部２０４との間のギャップは、その内部にスライドドア１２０の一部を収容するように構成されている。ガイド部３３２は、ギャップに延びているストッピング部材３５２を含む。スライドドア１２０が第２作動位置にあり、ヒューズ１０４，１０６が作業者に接近可能なとき、ストッピング部材３５２は、スライドドア１２０のエッジ部４２０のストッピング面４２６（図１５及び図１９参照）に隣接する。ストッピング部材３５０は、スライドドア１２０がヒューズロックアウトアセンブリ５０から滑って離脱することを防止する。逆に、スライドドア１２０が第１作動位置にあり、ヒューズ１０４，１０６が作業者に接近不可能なとき、ストッピング部材３５２は、スライドドア１２０のエッジ部４２２のストッピング面４２７（図１５参照）に隣接する。
【００２３】
図１５乃至図１９を参照すると、スライドドア１２０は、少なくとも部分的にギャップＧ１、及びガイド部３３２とプレート部２０４との間のギャップ内に配置されている。スライドドア１２０は、第１作動位置（図４参照）から第２作動位置（図５参照）に摺動し、その逆にも滑るように構成されている。スライドドア１２０は、ヒューズ１０４，１０６がそれぞれヒューズ区画部３００，３０２から離脱することを防止するために、第１作動位置でヒューズ区画部の開放端部を覆うように構成されている。スライドドア１２０はまた、手動式電流遮断上部ハウジング６２が手動式電流遮断下部ハウジング６０から予め分離される場合にのみ、第２作動位置で手動式電流遮断下部ハウジング６０の一部に至るように構成されている。スライドドア１２０はまた、ヒューズ１０４，１０６が作業者に接近可能なように、第２作動位置でヒューズ区画部３００，３０２の開放端部を覆わないように構成されている。言い換えると、スライドドア１２０は、手動式電流遮断上部ハウジング６２がヒューズロックアウトアセンブリ５０から離脱し、及びスライドドア１２０が第２作動位置にある場合にのみ、作業者がヒューズ１０４，１０６に接近することを許容するように構成されている。
【００２４】
スライドドア１２０が第１作動位置から少なくとも部分的に内部領域２１４に摺動し得るとき、スライドドア１２０が第２作動位置に延びることができないように、手動式電流遮断上部ハウジング６２が内部領域２１４で手動式電流遮断下部ハウジング６０に結合されていれば、スライドドア１２０は、手動式電流遮断上部ハウジング６２に対して隣接するように構成されている。スライドドア１２０はまた、ヒューズ１０４，１０６が作業者によって接近不可能なようにスライドドア１２０が第１及び第２作動位置の間に位置するようになるとき、少なくとも部分的にヒューズ区画部３００，３０２の開放上端を覆う。また、スライドドア１２０は、第１作動位置で内部領域２１４の手動式電流遮断下部ハウジング６０から分離される手動式電流遮断上部ハウジング６２を妨げない。
【００２５】
スライドドア１２０は、プレート部４００，４０２及びガスケット４０３を含む。プレート部４０２は、プレート部４００の端部から延びており、プレート部４００と実質的に垂直をなす。プレート部４００は第１面４０５及び第２面４０６を含む。プレート部４００は、エッジ部４１０，４１２、及びエッジ部４１０，４１２の間で延びたグルーブ４１４をさらに含む。プレート部４００は、エッジ部４２０，４２２、及びエッジ部４２０，４２２の間で延びたグルーブ４２４をさらに含む。プレート部４００は、第２面４０６から上向きに延びた隆起部（ｒａｉｓｅｄ  ｐｏｒｔｉｏｎｓ）４３０，４３２，４３４，４３６、及び第１面４０５から下向きに延びた湾入部（ｔｏｐ  ｉｎｄｅｎｔａｔｉｏｎ）４４０をさらに含む。ガスケット４０３は、第１面に結合されており、略長方形の環状である。ガスケット４０３は、スライドドア１２０が第１作動位置にあるとき、ヒューズ区画部３００，３０２の開放端部の周囲に流体−密封シール（ｆｌｕｉｄ−ｔｉｇｈｔ  ｓｅａｌ）を提供するように、ヒューズ区画部３００，３０２の開放端部の周囲のハウジング１００のプレート部２０４に接するように構成されている。ガスケット４０３は、弾性を有する素材からなってもよい。
【００２６】
スライドドア１２０のエッジ部４１０，４１２は、プレート部２０４とガイド部３３０との間のギャップＧ１内で摺動可能に収容されている。また、エッジ部４２０，４１２は、プレート部２０４とガイド部３３２との間のギャップ内に収容されている。
【００２７】
エッジ部４１０は、スライドドア１２０が第２作動位置にあるとき、ストッピング部材３５０（図１３参照）に隣接するように構成されたストッピング面４１６を含む。エッジ部４１０はまた、スライドドア１２０が第１作動位置にあるとき、ストッピング部材３５０（図１３参照）に隣接するように構成されたストッピング面４１７を含む。
【００２８】
エッジ部４２０は、スライドドア１２０が第２作動位置にあるとき、ストッピング部材３５２（図１３参照）に隣接するように構成されたストッピング面４２６を含む。エッジ部４２２はまた、スライドドア１２０が第１作動位置にあるとき、ストッピング部材３５２（図１３参照）に隣接するように構成されたストッピング面４２７を含む。
【００２９】
隆起部４３０，４３２，４３４，４３６は、ガイドプレート１１０の下面４４１に接触するように構成されている。隆起部４３０，４３２，４３４，４３６は、スライドドア１２０が第１作動位置にあるとき、ハウジング１００のプレート部２０４に対して密封するようにスライドドア１２０のガスケット４０３を下向きに加圧する。湾入部４４０は、スライドドア１２０を横切って縦方向に延びており、追加的な剛性をスライドドア１２０に提供する。
【００３０】
図７及び図１５を参照すると、プレート部４０２は、ボルト４５３，４５４をそれぞれ収容するためにそれを通して延びた開口４５０，４５２を含む。ボルト４５３，４５４は、第１作動位置でスライドドア１２０が容器部２００と結合するように構成されている。ここで、ボルト４５３，４５４は、作業者が第１作動位置から第２作動位置にスライドドア１２０を移動させることを許容するように開口４５０，４５２から除去されることに注目しなければならない。
【００３１】
図３、図４、図６及び図１１を参照すると、装着ブラケット１３０は、容器部２００の下端プレート２５０と結合されており、下部ハウジング２０とも結合されている。装着ブラケット１３０は、支持部（ｌｅｇ  ｐｏｒｔｉｏｎ）５５０，５０２、プレート部５０４及びフランジ部５０６，５０８を含む。支持部５５０，５０２は、プレート部５０４の対向端部から下向きに延びている。フランジ部５０６は、支持部５００から外側に延びており、下部ハウジング２０に結合されるように構成されている。また、フランジ部５０８は、支持部５０２から外側に延びており、下部ハウジング２０に結合されるように構成されている。プレート部５０４は、ボルト１５０，１５２，１５４，１５６，１６０，１６２，１６４，１６６を収容するためにそれを通して延びた開口を含む。ボルト１６０，１６２，１６４，１６６は、プレート部５０４を容器部２００の下端プレート２５０に結合させるように構成されている。一つの例示的な実施例において、装着ブラケット１３０は鋼鉄からなってもよい。更なる他の例において、装着ブラケット１３０は、例えば、プラスチックまたはアルミニウムのような他の材料からなってもよいことは勿論である。
【００３２】
ヒューズロックアウトアセンブリ５０は、他のアセンブリよりも相当な利点を提供する。特に、ヒューズロックアウトアセンブリは、手動式電流遮断器４８の下部ハウジング６０がヒューズロックアウトアセンブリ５０から離脱する場合でなければ、ヒューズ区画部に接することを防止するスライドドアを使用する技術的利点を提供する。
【００３３】
たとえ、本発明は、単に制限された数の例示にのみ関連して具体的に記述されたが、本発明が、上記に表現された例示にのみ限定されるものではない点を認識しなければならない。より正確には、本発明は、変形、変更、置換、またはここに表現されたものだけでなく、本発明の意図と範疇に適するように、相応する組み合わせにいくらでも修正することができる。さらに、たとえ、本発明の様々な例示が表現されたが、本発明の様態は、単に表現された例示の一部のみを含むことができるという点を認識しなければならない。したがって、本発明は、上記の表現によって限定されるものではない。
【産業上の利用可能性】
【００３４】
以上で示したように、本発明のヒューズロックアウトアセンブリは、他のアセンブリよりも相当な利点を提供する。特に、ヒューズロックアウトアセンブリは、手動式電流遮断器の下部ハウジングがヒューズロックアウトアセンブリから離脱する場合でなければ、ヒューズ区画部に接することを防止するスライドドアを使用する技術的利点を提供する。
【符号の説明】
【００３５】
３０  上部ハウジング部
２０  下部ハウジング部
５０  ヒューズロックアウトアセンブリ
６０  手動式電流遮断下部ハウジング
６２  手動式電流遮断上部ハウジング
１００  ハウジング
ヒューズ  ヒューズ
３００，３０２  ヒューズ区画部
１０２  ヒューズ収容ハウジング
第１作動位置
第２作動位置
【図１】
0006273359.tif 000002
【図２】
0006273359.tif 000003
【図３】
0006273359.tif 000004
【図４】
0006273359.tif 000005
【図５】
0006273359.tif 000006
【図６】
0006273359.tif 000007
【図７】
0006273359.tif 000008
【図８】
0006273359.tif 000009
【図９】
0006273359.tif 000010
【図１０】
0006273359.tif 000011
【図１１】
0006273359.tif 000012
【図１２】
0006273359.tif 000013
【図１３】
0006273359.tif 000014
【図１４】
0006273359.tif 000015
【図１５】
0006273359.tif 000016
【図１６】
0006273359.tif 000017
【図１７】
0006273359.tif 000018
【図１８】
0006273359.tif 000019
【図１９】
0006273359.tif 000020